(57)【要約】  不連続送信（ＤＴＸ）動作中に電力制御を行うための技法が説明される。ＵＥは、送信バースト中にアップリンクにおいて送信し、前記アップリンク送信に基づいてノードＢによって生成されたＴＰＣコマンドを受信する。前記ＵＥは、前記送信バースト中に適用されない２つのＴＰＣコマンドを前記送信バーストの終了時に受信することができる。前記ＵＥは、これらの２つのＴＰＣコマンドを保存し、次の送信バーストにおいて適用する。一設計においては、前記ＵＥは、前記次の送信バーストの１つのスロットにおいて各々の保存されたＴＰＣコマンドを適用する。他の設計においては、前記ＵＥは、前記２つの保存されたＴＰＣコマンドを結合し、前記結合された値を前記次の送信バーストの最初の２つのスロットにおいて適用する。さらに他の設計においては、前記ＵＥは、前記保存されたＴＰＣコマンドのうちの１つを選択し、前記選択されたＴＰＣコマンドを前記次の送信バーストの最初の２つのスロットにおいて適用する。【選択図】図８Ａ
2010518705.tif 000002
【特許請求の範囲】
【請求項１】
無線通信に関する装置であって、
第１の送信バースト中に複数の送信電力制御（ＴＰＣ）コマンドを受信し、前記複数のＴＰＣコマンドのうちの少なくとも１つに基づいて前記第１の送信バースト中に送られる送信の送信電力を調整し、及び前記複数のＴＰＣコマンドのうちの少なくとも２つの最後のＴＰＣコマンドに基づいて第２の送信バースト中に送られる送信の送信電力を調整するように構成された少なくとも１つのプロセッサであって、前記第２の送信バーストは、不連続送信（ＤＴＸ）期間だけ前記第１の送信バーストから分離される少なくとも１つのプロセッサと、
前記少なくとも１つのプロセッサに結合されたメモリと、を備える、無線通信に関する装置。
【請求項２】
前記少なくとも１つのプロセッサは、前記第１の送信バースト中に受信された前記少なくとも２つの最後のＴＰＣコマンドに基づいて前記第２の送信バーストの初期部分中に送られる送信の送信電力を調整し、及び前記第２の送信バースト中に受信されたＴＰＣコマンドに基づいて前記第２の送信バーストの残りの部分中に送られる送信の送信電力を調整するように構成される請求項１に記載の装置。
【請求項３】
前記少なくとも１つのプロセッサは、前記第１の送信バースト中に受信された最後の２つのＴＰＣコマンドのうちの１つに基づいて前記第２の送信バーストの最初の２つのスロットのうちの１つにおいて送られる送信の送信電力を調整し、及び前記第１の送信バースト中に受信された前記最後の２つのＴＰＣコマンドのうちの他方の１つに基づいて前記第２の送信バーストの前記最初の２つのスロットのうちの他方の１つにおいて送られる送信の送信電力を調整するように構成される請求項１に記載の装置。
【請求項４】
前記少なくとも１つのプロセッサは、前記第１の送信バースト中に受信された最後から２つ目のＴＰＣコマンドに基づいて前記第２の送信バーストの第１のスロットにおいて送られる送信の送信電力を調整し、及び前記第１の送信バースト中に受信された最後のＴＰＣコマンドに基づいて前記第２の送信バーストの第２のスロットにおいて送られる送信の送信電力を調整するように構成される請求項１に記載の装置。
【請求項５】
前記少なくとも１つのプロセッサは、前記第１の送信バースト中に受信された最後の２つのＴＰＣコマンドのうちのＵＰ ＴＰＣコマンド（存在する場合）に基づいて前記第２の送信バーストの第１のスロットにおいて送られる送信の送信電力を調整し、及び前記第１の送信バースト中に受信された前記最後の２つのＴＰＣコマンドのうちの他方の１つに基づいて前記第２の送信バーストの第２のスロットにおいて送られる送信の送信電力を調整するように構成される請求項１に記載の装置。
【請求項６】
前記少なくとも１つのプロセッサは、前記第１の送信バースト中に受信された最後の２つのＴＰＣコマンドに基づいて結合された値を得、及び前記結合された値に基づいて前記第２の送信バーストの最初の２つのスロットにおいて送られる送信の送信電力を調整するように構成される請求項１に記載の装置。
【請求項７】
前記少なくとも１つのプロセッサは、前記第１の送信バースト中に受信された最後の２つのＴＰＣコマンドに基づいて結合された値を得、前記結合された値を予め決定された範囲内に制限して上限が設定された値を得、及び前記上限が設定された値に基づいて前記第２の送信バーストの最初の２つのスロットにおいて送られる送信の送信電力を調整するように構成される請求項１に記載の装置。
【請求項８】
前記少なくとも１つのプロセッサは、前記第１の送信バースト中に受信された前記少なくとも２つの最後のＴＰＣコマンドのうちの１つを選択し、及び前記選択されたＴＰＣコマンドに基づいて前記第２の送信バーストの少なくとも１つのスロットにおいて送られる送信の送信電力を調整するように構成される請求項１に記載の装置。
【請求項９】
前記少なくとも１つのプロセッサは、前記第１の送信バースト中に受信された前記少なくとも２つの最後のＴＰＣコマンドのうちで最も信頼できるＴＰＣコマンドを選択し、及び前記選択されたＴＰＣコマンドに基づいて前記第２の送信バーストの少なくとも１つのスロットにおいて送られる送信の送信電力を調整するように構成される請求項１に記載の装置。
【請求項１０】
前記少なくとも１つのプロセッサは、前記第１の送信バースト中に受信された最後のＴＰＣコマンドを選択し、及び前記最後のＴＰＣコマンドに基づいて前記第２の送信バーストの最初の２つのスロットにおいて送られる送信の送信電力を調整するように構成される請求項１に記載の装置。
【請求項１１】
前記少なくとも１つのプロセッサは、複数の可能な時間オフセットのうちの１つにおいて複数のスロットにおいて前記複数のＴＰＣコマンドを受信するように構成される請求項１に記載の装置。
【請求項１２】
前記少なくとも１つのプロセッサは、第１の時間オフセット範囲内において受信された場合は２つの最後のＴＰＣコマンドに基づいて前記第２の送信バースト中に送られる送信の送信電力を調整し、及び第２の時間オフセット範囲内において受信された場合は最後のＴＰＣコマンドに基づいて前記第２の送信バースト中に送られる送信の送信電力を調整するように構成される請求項１１に記載の装置。
【請求項１３】
前記少なくとも１つのプロセッサは、フラクショナル専用物理チャネル（Ｆ−ＤＰＣＨ）において前記複数のＴＰＣコマンドを受信し、及び前記第１及び第２の送信バースト中にアップリンク専用物理制御チャネル（ＵＬ−ＤＰＣＣＨ）において送信を送るように構成される請求項１に記載の装置。
【請求項１４】
無線通信に関する方法であって、
第１の送信バースト中に複数の送信電力制御（ＴＰＣ）コマンドを受信することと、
前記複数のＴＰＣコマンドのうちの少なくとも１つに基づいて前記第１の送信バースト中に送られる送信の送信電力を調整することと、
前記複数のＴＰＣコマンドのうちの少なくとも２つの最後のＴＰＣコマンドに基づいて第２の送信バースト中に送られる送信の送信電力を調整することであって、前記第２の送信バーストは、不連続送信（ＤＴＸ）期間だけ前記第１の送信バーストから分離されること、とを備える、無線通信に関する方法。
【請求項１５】
前記第２の送信中に送られる送信の送信電力を前記調整することは、
前記第１の送信バースト中に受信された最後の２つのＴＰＣコマンドのうちの１つに基づいて前記第２の送信バーストの最初の２つのスロットのうちの１つにおいて送られる送信の送信電力を調整することと、
前記第１の送信バースト中に受信された前記最後の２つのＴＰＣコマンドのうちの他方の１つに基づいて前記第２の送信バーストの前記最初の２つのスロットのうちの他方の１つにおいて送られる送信の送信電力を調整すること、とを備える請求項１４に記載の方法。
【請求項１６】
前記第２の送信中に送られる送信の送信電力を前記調整することは、
前記第１の送信バースト中に受信された最後の２つのＴＰＣコマンドに基づいて結合された値を得ることと、
前記結合された値に基づいて前記第２の送信バーストの最初の２つのスロットにおいて送られる送信の送信電力を調整すること、とを備える請求項１４に記載の方法。
【請求項１７】
前記第２の送信中に送られる送信の送信電力を前記調整することは、
前記第１の送信バースト中に受信された前記少なくとも２つの最後のＴＰＣコマンドのうちの１つを選択することと、
前記選択されたＴＰＣコマンドに基づいて前記第２の送信バーストの少なくとも１つのスロットにおいて送られる送信の送信電力を調整すること、とを備える請求項１４に記載の方法。
【請求項１８】
前記複数のＴＰＣコマンドを前記受信することは、フラクショナル専用物理チャネル（Ｆ−ＤＰＣＨ）において前記複数のＴＰＣコマンドを受信することを備え、
前記第１及び第２の送信バースト中にアップリンク専用物理制御チャネル（ＵＬ−ＤＰＣＣＨ）において送信を送ることをさらに備える請求項１４に記載の方法。
【請求項１９】
無線通信に関する装置であって、
第１の送信バースト中に複数の送信電力制御（ＴＰＣ）コマンドを受信するための手段と、
前記複数のＴＰＣコマンドのうちの少なくとも１つに基づいて前記第１の送信バースト中に送られる送信の送信電力を調整するための手段と、
前記複数のＴＰＣコマンドのうちの少なくとも２つの最後のＴＰＣコマンドに基づいて第２の送信バースト中に送られる送信の送信電力を調整するための手段であって、前記第２の送信バーストは、不連続送信（ＤＴＸ）期間だけ前記第１の送信バーストから分離される手段と、を備える、無線通信に関する装置。
【請求項２０】
前記第２の送信中に送られる送信の送信電力を調整するための前記手段は、
前記第１の送信バースト中に受信された最後の２つのＴＰＣコマンドのうちの１つに基づいて前記第２の送信バーストの最初の２つのスロットのうちの１つにおいて送られる送信の送信電力を調整するための手段と、
前記第１の送信バースト中に受信された前記最後の２つのＴＰＣコマンドのうちの他方の１つに基づいて前記第２の送信バーストの前記最初の２つのスロットのうちの他方の１つにおいて送られる送信の送信電力を調整するための手段と、を備える請求項１９に記載の装置。
【請求項２１】
前記第２の送信中に送られる送信の送信電力を調整するための前記手段は、
前記第１の送信バースト中に受信された最後の２つのＴＰＣコマンドに基づいて結合された値を得るための手段と、
前記結合された値に基づいて前記第２の送信バーストの最初の２つのスロットにおいて送られる送信の送信電力を調整するための手段と、を備える請求項１９に記載の装置。
【請求項２２】
前記第２の送信中に送られる送信の送信電力を調整するための前記手段は、
前記第１の送信バースト中に受信された前記少なくとも２つの最後のＴＰＣコマンドのうちの１つを選択するための手段と、
前記選択されたＴＰＣコマンドに基づいて前記第２の送信バーストの少なくとも１つのスロットにおいて送られる送信の送信電力を調整するための手段と、を備える請求項１９に記載の装置。
【請求項２３】
前記複数のＴＰＣコマンドを受信するための前記手段は、フラクショナル専用物理チャネル（Ｆ−ＤＰＣＨ）において前記複数のＴＰＣコマンドを受信するための手段を備え、
前記第１及び第２の送信バースト中にアップリンク専用物理制御チャネル（ＵＬ−ＤＰＣＣＨ）において送信を送るための手段をさらに備える請求項１９に記載の装置。
【請求項２４】
コンピュータプログラム製品であって、
第１の送信バースト中に複数の送信電力制御（ＴＰＣ）コマンドを受信することを少なくとも１つのコンピュータに行わせるための符号と、
前記複数のＴＰＣコマンドのうちの少なくとも１つに基づいて前記第１の送信バースト中に送られる送信の送信電力を調整することを前記少なくとも１つのコンピュータに行わせるための符号と、
前記複数のＴＰＣコマンドのうちの少なくとも２つの最後のＴＰＣコマンドに基づいて第２の送信バースト中に送られる送信の送信電力を調整することを前記少なくとも１つのコンピュータに行わせるための符号であって、前記第２の送信バーストは、不連続送信（ＤＴＸ）期間だけ前記第１の送信バーストから分離される符号と、を備えるコンピュータによって読み取り可能な媒体を備える、コンピュータプログラム製品。
【請求項２５】
前記コンピュータによって読み取り可能な媒体は、
前記第１の送信バースト中に受信された最後の２つのＴＰＣコマンドのうちの１つに基づいて前記第２の送信バーストの最初の２つのスロットのうちの１つにおいて送られる送信の送信電力を調整することを前記少なくとも１つのコンピュータに行わせるための符号と、
前記第１の送信バースト中に受信された前記最後の２つのＴＰＣコマンドのうちの他方の１つに基づいて前記第２の送信バーストの前記最初の２つのスロットのうちの他方の１つにおいて送られる送信の送信電力を調整することを前記少なくとも１つのコンピュータに行わせるための符号と、をさらに備える請求項２４に記載のコンピュータプログラム製品。
【請求項２６】
前記コンピュータによって読み取り可能な媒体は、
前記第１の送信バースト中に受信された最後の２つのＴＰＣコマンドに基づいて結合された値を得ることを前記少なくとも１つのコンピュータに行わせるための符号と、
前記結合された値に基づいて前記第２の送信バーストの最初の２つのスロットにおいて送られる送信の送信電力を調整することを前記少なくとも１つのコンピュータに行わせるための符号と、をさらに備える請求項２４に記載のコンピュータプログラム製品。
【請求項２７】
前記コンピュータによって読み取り可能な媒体は、
前記第１の送信バースト中に受信された前記少なくとも２つの最後のＴＰＣコマンドのうちの１つを選択することを前記少なくとも１つのコンピュータに行わせるための符号と、
前記選択されたＴＰＣコマンドに基づいて前記第２の送信バーストの少なくとも１つのスロットにおいて送られる送信の送信電力を調整することを前記少なくとも１つのコンピュータに行わせるための符号と、をさらに備える請求項２４に記載のコンピュータプログラム製品。
【請求項２８】
前記コンピュータによって読み取り可能な媒体は、
フラクショナル専用物理チャネル（Ｆ−ＤＰＣＨ）において前記複数のＴＰＣコマンドを受信することを前記少なくとも１つのコンピュータに行わせるための符号と、
前記第１及び第２の送信バースト中にアップリンク専用物理制御チャネル（ＵＬ−ＤＰＣＣＨ）において送信を送ることを前記少なくとも１つのコンピュータに行わせるための符号と、をさらに備える請求項２４に記載のコンピュータプログラム製品。
【請求項２９】
無線通信に関する装置であって、
第１の送信バースト中に複数の送信電力制御（ＴＰＣ）コマンドを送信し、前記複数のＴＰＣコマンドのうちの少なくとも１つに基づいて調整された送信電力で前記第１の送信バースト中に送られる送信を受信し、及び前記複数のＴＰＣコマンドのうちの少なくとも２つの最後のＴＰＣコマンドに基づいて調整された送信電力で第２の送信バースト中に送られる送信を受信するように構成された少なくとも１つのプロセッサであって、前記第２の送信バーストは、不連続送信（ＤＴＸ）期間だけ前記第１の送信バーストから分離される少なくとも１つのプロセッサと、
前記少なくとも１つのプロセッサに結合されたメモリと、を備える、無線通信に関する装置。
【請求項３０】
前記少なくとも１つのプロセッサは、前記第１の送信バースト中に受信された前記送信に基づいて信号対雑音及び干渉比（ＳＩＲ）を推定し、及び前記推定されたＳＩＲに基づいて前記複数のＴＰＣコマンドを生成するように構成される請求項２９に記載の装置。
【請求項３１】
無線通信に関する方法であって、
第１の送信バースト中に複数の送信電力制御（ＴＰＣ）コマンドを送信することと、
前記複数のＴＰＣコマンドのうちの少なくとも１つに基づいて調整された送信電力で前記第１の送信バースト中に送られる送信を受信することと、
前記複数のＴＰＣコマンドのうちの少なくとも２つの最後のＴＰＣコマンドに基づいて調整された送信電力で第２の送信バースト中に送られる送信を受信することであって、前記第２の送信バーストは、不連続送信（ＤＴＸ）期間だけ前記第１の送信バーストから分離されること、とを備える、無線通信に関する方法。
【請求項３２】
前記第１の送信バースト中に受信された前記送信に基づいて信号対雑音及び干渉比（ＳＩＲ）を推定することと、
前記推定されたＳＩＲに基づいて前記複数のＴＰＣコマンドを生成すること、とをさらに備える請求項３１に記載の方法。
【発明の詳細な説明】
【技術分野】
【０００１】
３５Ｕ．Ｓ．Ｃ．§１１９に基づく優先権の主張
本特許出願は、“POWER CONTROL AND DTX-DRX”（電力制御及びＤＴＸ−ＤＲＸ）という題名を有し、ここの譲受人に譲渡されており、及び参照されることによって明示でここに組み入れられている米国仮特許出願一連番号６０／８８７，５５１（出願日：２００７年１月３１日）に対する優先権を主張するものである。
【０００２】
本開示は、一般的には、通信に関するものである。本開示は、より具体的には、無線通信システムにおいて電力制御を行うための技法に関するものである。
【背景技術】
【０００３】
様々な通信サービス、例えば音声、映像、パケットデータ、メッセージ伝送、ブロードキャスト、等、を提供することを目的として無線通信システムが広範囲にわたって配備されている。これらのシステムは、利用可能なシステム資源を共有することによって複数のユーザーをサポートすることができる多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単搬送波ＦＤＭＡ（ＳＣ−ＦＤＭＡ）システムと、を含む。
【０００４】
無線通信システムにおいては、複数のユーザー装置（ＵＥ）は、アップリンクにおいてノードＢに送信することができる。システム容量を向上させるため、その他のＵＥへの干渉量を低減させる一方で各ＵＥに関して希望される性能を達成できるように各ＵＥの送信電力を制御することができる。アップリンク電力制御に関して、ノードＢは、ノードＢにおけるＵＥの受信信号の品質を定期的に推定することができ及び希望される受信信号の品質を達成するために送信電力を調整して増大又は低減させるようにＵＥに指示するための送信電力制御（ＴＰＣ）コマンドを送信することができる。ＵＥは、ＴＰＣコマンドに従って送信電力を調整することができる。しかしながら、ＵＥは、不連続送信（ＤＴＸ）モードにおいて動作することができ及び連続的でなくバーストにおいて送信することができる。ＤＴＸ動作中に実効的に電力制御を行うことが望ましい。
【発明の概要】
【０００５】
ＤＴＸ動作中に電力制御を行うための技法がここにおいて説明される。ＵＥは、送信バースト中にアップリンクにおいて送信することができ及び前記アップリンク送信に基づいてノードＢによって生成されたＴＰＣコマンドを受信することができる。典型的には、ＵＥにおいてＴＰＣコマンドが受信される時間から前記ＴＰＣコマンドが前記ＵＥによって適用できる時間までに遅延が存在する。遅延量は、可変であることができ、後述されるように、ＴＰＣコマンドを送信するために用いられる物理チャネルに関して前記ＵＥに割り当てられた時間オフセットに依存することができる。前記ＵＥは、送信バースト中に直接適用されない１つ又は２つのＴＰＣコマンドを前記送信バーストの終了時に受信することができる。前記ＵＥは、適用されないＴＰＣコマンドを保存することができ及びその後に前記保存されたＴＰＣコマンドを次の送信バーストのために適用することができる。
【０００６】
前記ＵＥは、２つの保存されたＴＰＣコマンドを様々な方法で適用することができる。一設計においては、前記ＵＥは、前記２つの保存されたＴＰＣコマンドを次の送信バーストの最初の２つのスロットにおいて適用することができる。前記ＵＥは、前記保存されたＴＰＣコマンのうちの１つに基づいて次の送信バーストの第１のスロットに関して送信電力を調整することができ及び他方の保存されたＴＰＣコマンドに基づいて次の送信バーストの第２のスロットに関して送信電力を調整することができる。他の設計においては、前記ＵＥは、前記２つの保存されたＴＰＣコマンドを結合して結合された値を得ることができ及び前記結合された値に基づいて次の送信バーストの最初の２つのスロットに関して送信電力を調整することができる。さらに他の設計においては、前記ＵＥは、前記結合された値を予め決定された範囲に制限するか又は予め決定された範囲を上限とすることができ及び前記上限が設定された値に基づいて次の送信バーストの最初の２つのスロットに関して送信電力を調整することができる。さらに他の設計においては、前記ＵＥは、前記保存されたＴＰＣコマンドのうちの１つ（例えば、最後のＴＰＣコマンド又はより信頼できるＴＰＣコマンド）を選択することができ及び前記選択されたＴＰＣコマンドに基づいて次の送信バーストの前記最初の２つのスロットに関して送信電力を調整することができる。前記ＵＥは、その他の方法で、前記保存されたＴＰＣコマンドに基づいて次の送信バーストに関して送信電力を調整することもできる。
【０００７】
開示の様々な側面及び特徴が以下においてさらに詳細に説明される。
【図面の簡単な説明】
【０００８】
【図１】無線通信システムを示した図である。
【図２】幾つかの物理チャネルのタイミング図である。
【図３】ノードＢによるＴＰＣコマンドの送信を示した図である。
【図４】ＵＥによるＴＰＣコマンドの受信を示した図である。
【図５】初期ＴＰＣコマンドによるＵＥに関するアップリンク電力制御を示した図である。
【図６】後続ＴＰＣコマンドによるＵＥに関するアップリンク電力制御を示した図である。
【図７】初期ＴＰＣコマンドによるＤＴＸ動作中におけるＵＥに関するアップリンク電力制御を示した図である。
【図８Ａ】後続ＴＰＣコマンドによるＤＴＸ動作中におけるＵＥに関するアップリンク電力制御の設計を示した図である。
【図８Ｂ】後続ＴＰＣコマンドによるＤＴＸ動作中におけるＵＥに関するアップリンク電力制御の設計を示した図である。
【図９】アップリンク電力制御に関してＵＥによって実行されるプロセスを示した図である。
【図１０】アップリンク電力制御に関してノードＢによって実行されるプロセスを示した図である。
【図１１】ＵＥ及びノードＢのブロック図である。
【発明を実施するための形態】
【０００９】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。“システム”及び“ネットワーク”という用語は、互換可能な形でしばしば用いられる。ＣＤＭＡシステムは、ユニバーサル地上無線アクセス（ＵＴＲＡ）、ｃｄｍａ２０００、等の無線技術を実装することができる。ＵＴＲＡは、ワイドバンドＣＤＭＡ（Ｗ−ＣＤＭＡ）と、その他のＣＤＭＡの変形と、を含む。ｃｄｍａ２０００は、ＩＳ−２０００、ＩＳ−９５及びＩＳ−８５６基準を網羅する。ＴＤＭＡシステムは、グローバル移動体通信システム（ＧＳＭ）等の無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．２０、ＩＥＥＥ８０２．１６（ＷｉＭＡＸ）、８０２．１１（ＷｉＦｉ）、Ｆｌａｓｈ−ＯＦＤＭ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）が、Ｅ−ＵＴＲＡを用いるＵＭＴＳとして近い将来にリリースされる。ＵＴＲＡ、Ｅ−ＵＴＲＡ、ＵＭＴＳ、ＬＴＥ及びＧＳＭについては、“第３世代パートナーシッププロジェクト”（３ＧＰＰ）と呼ばれる組織による文書において説明されている。ｃｄｍａ２０００及びＵＭＢについては、“第３世代パートナーシッププロジェクト２”（３ＧＰＰ２）と呼ばれる組織による文書において説明されている。これらの様々な無線技術及び基準は、当業において知られる。説明を明確化するため、これらの技術の一定の側面が以下においてＵＭＴＳに関して説明され、及び以下の説明の多くの部分においては３ＧＰＰ用語が用いられる。
【００１０】
図１は、無線通信システム１００を示し、ＵＭＴＳにおいてはユニバーサル地上無線アクセスネットワーク（ＵＴＲＡＮ）と呼ばれることもある。システム１００は、複数のノードＢ  １１０を含む。ノードＢは、ＵＥと通信する固定局であり、進化（ｅｖｏｌｖｅｄ）ノードＢ（ｅＮＢ）、基地局、アクセスポイント、等と呼ばれることもある。各ノードＢ  １１０は、特定の地理的エリアに関する通信カバレッジを提供し、カバレッジエリア内に位置するＵＥに関する通信をサポートする。システムコントローラ１３０は、ノードＢＳ１１０に結合し、これらのノードＮＢに関する調整及び制御を提供することができる。システムコントローラ１３０は、単一のネットワークエンティティ又はネットワークエンティティの集合であることができる。
【００１１】
ＵＥ１２０は、システム全体に分散させることができ、各ＵＥは、静止型又は移動型であることができる。ＵＥは、移動局、端末、アクセス端末、加入者ユニット、局、等と呼ばれることもある。ＵＥは、携帯電話、パーソナルデジタルアシスタント（ＰＤＡ）、無線通信デバイス、ハンドヘルドデバイス、無線モデム、ラップトップ、等であることができる。ＵＥは、ダウンリンク及びアップリンクにおける送信を介してノードＢと通信することができる。ダウンリンク（又は順方向リンク）は、ノードＢからＵＥへの通信リンクを意味し、アップリンク（逆方向リンク）は、ＵＥからノードＢへの通信リンクを意味する。
【００１２】
ＵＭＴＳは、ダウンリンク及びアップリンクにおいてデータ及びシグナリング／制御情報を送信するために様々な物理チャネルを用いる。物理チャネルは、異なるチャネル化符号を用いてチャネル化され、符号領域内においては互いに直交である。
【００１３】
図２は、ＵＭＴＳにおいて用いられる物理チャネルの一部のタイミング図である。送信のためのタイムラインは、無線フレームに分割される。各無線フレームは、１０ミリ秒（ｍｓ）の継続時間を有し、１２ビットのシステムフレーム番号（ＳＦＮ）によって識別される。各無線フレームは、１５のスロットにパーティショニングされ、これらの１５のスロットには、スロット０乃至１４のラベルが付される。各スロットは、Ｔｓｌｏｔ＝０．６６７の継続時間を有し、３．８４Ｍｃｐｓにおいて２５６０のチップを含む。各無線フレームは、５つのサブフレームにもパーティショニングされる（図２に示されない）。各サブフレームは、２ｍｓの継続時間を有し、３つのスロットを含む。
【００１４】
１次共通制御物理チャネル（Ｐ−ＣＣＰＣＨ）がダウンリンクにおいてノードＢによって送信される。Ｐ−ＣＣＰＣＨは、ダウンリンク物理チャネルに関するタイミング基準として直接用いられ、アップリンク物理チャネルに関するタイミング基準として間接的に用いられる。フラクショナル専用物理チャネル（Ｆ−ＤＰＣＨ）がダウンリンクにおいて送信され、複数のＥＵに関するＴＰＣコマンドを搬送することができる。Ｆ−ＤＰＣＨは、Ｐ−ＣＣＰＣＨのフレーム境界からτＤＰＣＨ，ｎチップだけ遅延され、ここで、τＤＰＣＨ，ｎ＝２５６ｎであり、ｎは、０乃至１４９であることができる。アップリンク専用物理チャネル（ＵＬ−ＤＰＣＣＨ）がアップリンクにおいて送信され、ＵＥからのパイロット及び制御情報を搬送することができる。ＵＬ−ＤＰＣＣＨは、Ｆ−ＤＰＣＨのフレーム境界からＴ０＝１０２４チップだけ遅延される。
【００１５】
３ＧＰＰリリース５及びそれ以降は、高速ダウンリンクパケットアクセス（ＨＳＤＰＡ）をサポートする。３ＧＰＰリリース６及びそれ以降は、高速アップリンクパケットアクセス（ＨＳＵＰＡ）をサポートする。ＨＳＤＰＡ及びＨＳＵＰＡは、ダウンリンク及びアップリンクのそれぞれにおける高速パケットデータ送信を可能にするチャネル及び手順の組である。表１は、３ＧＰＰリリース６においてＨＳＤＰＡ及びＨＳＵＰＡに関して用いられる幾つかの物理チャネルを示す。
【表１】
2010518705.tif 000003
【００１６】
３ＧＰＰリリース７は、ＵＥが電池電力を保存するためにＤＴＸ及び／又は不連続受信（ＤＲＸ）によって動作するのを可能にする連続パケット接続性（ＣＰＣ）をサポートする。ＤＴＸに関して、ＵＥは、ＵＥがアップリンク送信をノードＢに送ることができる一定のイネーブルにされたアップリンクサブフレームを割り当てることができる。イネーブルにされたアップリンクサブフレームは、アップリンクＤＰＣＣＨバーストパターンによって定義することができる。ＤＲＸに関して、ＵＥは、ノードＢがダウンリンク送信をＵＥに送ることができる一定のイネーブルにされたダウンリンクサブフレームを割り当てることができる。イネーブルにされたダウンリンクサブフレームは、ＨＳ−ＳＣＣＨ受信パターンによって定義することができる。ＵＥは、イネーブルにされたアップリンクサブフレームにおいてシグナリング及び／又はデータを送信することができ及びイネーブルにされたダウンリンクサブフレームにおいてシグナリング及び／又はデータを受信することができる。ＵＥは、電池電力を保存するためにイネーブルにされたサブフレーム間のアイドル時間中にパワーダウンすることができる。ＣＰＣは、公に入手可能である３ＧＰＰ  ＴＲ２５．９０３“Continuous Connectivity for Packet Data Users”（パケットデータユーザーに関する連続的接続性）March 2007において説明されている。
【００１７】
図３は、ノードＢによるＦ−ＤＰＣＨにおけるＴＰＣコマンドの送信を示す。ノードＢは、Ｆ−ＤＰＣＨにおいて各スロットにおいて最高１０のＵＥに関する最高１０のＴＰＣコマンドを送信することができる。これらのＵＥは、Ｆ−ＤＰＣＨにおいて時間的に多重化することができ、各ＵＥは、Ｆ−ＤＰＣＨに関して異なる時間オフセットを有することができる。図３に示されるように、ノードＢは、各スロットの第１の位置においてはＵＥ０に関するＴＰＣコマンド、各スロットの第２の位置においてはＵＥ１に関するＴＰＣコマンド、以下同様であり、各スロットの最後の位置においてはＵＥ９に関するＴＰＣコマンドを送信することができる。ノードＢは、Ｆ−ＤＰＣＨにおいて割り当てられた時間オフセットで各スロットにおいて所定のＵＥに新しいＴＰＣコマンドを送信することができる。
【００１８】
図４は、ＵＥによるＦ−ＤＰＣＨにおけるＴＰＣコマンドの受信を示す。ＵＥは、Ｆ−ＤＰＣＨにおいて各スロットにおいてＴＰＣコマンドを受信することができる。ＵＥに関するＴＰＣコマンドは、スロットの始めからＮＯＦＦ１ビットを開始させるＮＴＰＣビットを用いて送信される。Ｆ−ＤＰＣＨに関しては１０のスロットフォーマット０乃至９がサポートされ、図３に示される１０の異なる時間オフセットに対応する。ＮＯＦＦ１は、スロットフォーマット０乃至９に関する０乃至２３０４のチップに等しい。各スロットにおいて、ＵＥは、Ｆ−ＤＰＣＨにおける最初のＮＯＦＦ１ビットを無視し、次のＮＴＰＣビットを処理してＴＰＣコマンドを受け取り、最後のＮＯＦＦ２ビットを無視することができる。ＵＥの観点からは、ＴＰＣコマンドは、Ｆ−ＤＰＣＨスロットにおいてあらゆる時間オフセットを有することができる。
【００１９】
図５は、初期（ｅａｒｌｙ）ＴＰＣコマンドによるＵＥに関するアップリンク電力制御の例を示す。ノードＢは、Ｆ−ＤＰＣＨにおいてＵＥに割り当てられた時間オフセットで各スロットにおいてＵＥにＴＰＣコマンドを送信することができる。ＴＰＣコマンドは、割り当てられた時間オフセットに依存してスロット内のあらゆる場所に置くことができる。図５に示される例においては、割り当てられた時間オフセットは、Ｆ−ＤＰＣＨにおける各スロットの始め付近に存在する。ＵＥは、τＰの伝搬遅延後にＦ−ＤＰＣＨを受信することができる。
【００２０】
ＵＬ−ＤＰＣＣＨは、Ｆ−ＤＰＣＨのスロット境界から１０２４チップだけ遅延される。ＵＬ−ＤＰＣＣＨにおける受信されたＴＰＣコマンドとスロットの始めとの間における時間量は、ＵＥに割り当てられたＦ−ＤＰＣＨ時間オフセットに依存する。図５に示されるように、Ｆ−ＤＰＣＨにおいてスロットｉにおいて受信されたＴＰＣコマンドとＵＬ−ＤＰＣＣＨにおけるスロットｉの始めとの間に少なくとも５１２チップが存在する場合は、現在のタイミング関係が有効である。この場合は、ＵＥは、Ｆ−ＤＰＣＨにおいてスロットｉにおいて受信されたＴＰＣコマンドをＵＬ−ＤＰＣＣＨにおける同じスロットｉで適用することができる。特に、ＵＥは、受信されたＴＰＣコマンドに基づいてスロットｉにおいてＵＬ−ＤＰＣＣＨの送信電力を調整することによって受信されたＴＰＣコマンドに応答することができる。さらに、ＵＥは、受信されたＴＰＣコマンドに基づいてダウンリンクの信号対雑音及び干渉比（ＳＩＲ）を推定することができる。これで、図５に示されるように、ＵＥは、ダウンリンクＳＩＲ推定値に基づいてノードＢに関するＴＰＣコマンドを生成し、ＵＬ−ＤＰＣＣＨにおいてスロットｉにおいてこのＴＰＣコマンドを送信することができる。
【００２１】
ノードＢは、伝搬遅延後にＵＥからＵＬ−ＤＰＣＣＨを受信することができる。ノードＢは、ＵＬ−ＤＰＣＣＨにおいてスロットｉにおいて受信されたパイロットに基づいてＵＥに関するアップリンクのＳＩＲを推定することができる。これで、ノードＢは、アップリンクＳＩＲ推定値に基づいてＵＥに関するＴＰＣコマンドを生成し、Ｆ−ＤＰＣＨにおいてスロットｉ＋１において割り当てられた時間オフセットでこのＴＰＣコマンドを送信することができる。ノードＢは、この受信されたＴＰＣコマンドに基づいてスロットｉ＋２においてＦ−ＤＰＣＨの送信電力を調整することによってＵＬ−ＤＰＣＣＨにおいてスロットｉにおいて受信されたＴＰＣコマンドに応答することもできる。
【００２２】
図５に示される例において、アップリンク電力制御ループが１つのスロットにおいて閉じられている。Ｆ−ＤＰＣＨにおいてスロットｉにおいてノードＢによって送信されるＴＰＣコマンドは、ＵＬ−ＤＰＣＣＨにおいてスロットｉにおいて送信されるパイロットに対してＵＥよって適用される。このパイロットは、Ｆ−ＤＰＣＨにおいてスロットｉ＋１においてノードＢによって送信されるＴＰＣコマンドを生成するために用いられる。
【００２３】
図６は、後続（ｌａｔｅ）ＴＰＣコマンドによるＵＥに関するアップリンク電力制御の例を示す。この例においては、ＵＥに関する割り当てられた時間オフセットは、Ｆ−ＤＰＣＨにおける各スロットの最後付近に存在する。ＵＥは、Ｆ−ＤＰＣＨにおいてスロットｉにおいて割り当てられた時間オフセットでＴＰＣコマンドを受信する。この例においては、図６に示されるように、Ｆ−ＤＰＣＨにおいてスロットｉにおいて受信されたＴＰＣコマンドは、ＵＬ−ＤＰＣＣＨにおけるスロットｉの始めから少なくとも５１２チップ前に存在しない。この場合においては、ＵＥは、Ｆ−ＤＰＣＨにおいて次のスロットｉにおいて受信されたＴＰＣコマンドをＵＬ−ＤＰＣＣＨにおける次のスロットｉ＋１で適用することができる。特に、ＵＥは、受信されたＴＰＣコマンドに基づいてスロットｉ＋１においてＵＬ−ＤＰＣＣＨの送信電力を調整することによって受信されたＴＰＣコマンドに応答することができる。さらに、図６に示されるように、ＵＥは、受信されたＴＰＣコマンドに基づいてダウンリンクＳＩＲを推定し、ダウンリンクＳＩＲ推定値に基づいてＴＰＣコマンドを生成し、ＵＬ−ＤＰＣＣＨにおいてスロットｉ＋１においてこのＴＰＣコマンドを送信することができる。
【００２４】
ノードＢは、ＵＥからＵＬ−ＤＰＣＣＨを受信し、ＵＬ−ＤＰＣＣＨにおいてスロットｉ＋１において受信されたパイロットに基づいてＵＥに関するアップリンクＳＩＲを推定し、アップリンクＳＩＲ推定値に基づいてＴＰＣコマンドを生成し、Ｆ−ＤＰＣＨにおいてスロットｉ＋２において割り当てられた時間オフセットでこのＴＰＣコマンドを送信することができる。ノードＢは、この受信されたＴＰＣコマンドに基づいてスロットｉ＋３においてＦ−ＤＰＣＨの送信電力を調整することによってＵＬ−ＤＰＣＣＨにおいてスロットｉ＋１において受信されたＴＰＣコマンドに応答することもできる。
【００２５】
図６に示される例において、アップリンク電力制御ループが２つのスロットにおいて閉じられる。Ｆ−ＤＰＣＨにおいてスロットｉにおいてノードＢによって送信されるＴＰＣコマンドは、ＵＬ−ＤＰＣＣＨにおいてロットｉ＋１において送信されるパイロットに対してＵＥによって適用される。このパイロットは、Ｆ−ＤＰＣＨにおいてスロットｉ＋２においてノードＢによって送信されるＴＰＣコマンドを生成するために用いられる。
【００２６】
図５及び６は、初期ＴＰＣコマンド及び後続ＴＰＣコマンドによるアップリンク電力制御例をそれぞれ示す。図６に示されるように、陰影付きエリア６１０内のいずれかの場所において受け取られたＴＰＣコマンドは、スロットｉ＋１においてＵＬ−ＤＰＣＣＨに適用することができる。ＴＰＣコマンドが、陰影付きエリア６１０のうちのＦ−ＤＰＣＨのスロットｉ＋１に属する部分であるエリア６１２内に所在する場合は、ＴＰＣコマンドは、ＵＬ−ＤＰＣＣＨの同じスロットｉ＋１において適用される。ＴＰＣコマンドが、陰影付きエリア６１０のうちのＦ−ＤＰＣＨのスロットｉに属する部分であるエリア６１４内に所在する場合は、ＴＰＣコマンドは、ＵＬ−ＤＰＣＣＨの次のスロットｉ＋１において適用される。初期ＴＰＣコマンドは、エリア６１２内において受け取られたＴＰＣコマンドであり、同じスロットにおいてＵＬ−ＤＰＣＣＨに適用することができる。後続ＴＰＣコマンドは、エリア６１４内において受け取られるＴＰＣコマンドであり、次のスロットにおいてＵＬ−ＤＰＣＣＨに適用することができる。
【００２７】
図７は、初期ＴＰＣコマンドによるＤＴＸ動作中におけるＵＥに関するアップリンク電力制御の例を示す。この例においては、ＵＥは、６つのスロットｉ乃至ｉ＋５に関してＵＬ−ＤＰＣＣＨにおいて送信し、次の６つのスロットｉ＋６乃至ｉ＋１１に関してはアップリンクにおいて送信せず、次の６つのスロットｉ＋１２乃至ｉ＋１７に関してＵＬ−ＤＰＣＣＨにおいて送信し、等である。一般的には、ＵＥがＵＬ−ＤＰＣＣＨにおいて送信するイネーブルにされたアップリンクスロットの数（図７に示される例においては６である）は、構成可能である。イネーブルにされたアップリンクスロットの連続バースト間の時間間隔も構成可能である（図７に示される例においては１２スロットである）。      
図７に示される例においては、ＵＥに関するＴＰＣコマンドは、各スロットの始め付近でＦ−ＤＰＣＨにおいて送信され、図５に示されるように、ＵＬ−ＤＰＣＣＨにおける同じスロットの始めよりも少なくとも５１２チップ前である。これで、ＵＥは、Ｆ−ＤＰＣＨにおいてスロットｉ＋１において受信されたＴＰＣコマンドをＵＬ−ＤＰＣＣＨにおける同じスロットｉ＋１におけるアップリンク送信に適用することができる。ＵＬ−ＤＰＣＣＨにおいてスロットｉ＋５において送信されるパイロットは、Ｆ−ＤＰＣＨにおいてスロットｉ＋６において送信されるＴＰＣコマンドを生成するために用いられる。しかしながら、ＵＥは、アップリンクにおいてはスロットｉ＋６では送信しないため、ＵＥは、Ｆ−ＤＰＣＨにおいてスロットｉ＋６において受信されたＴＰＣコマンドを保存することができる。ＵＥは、送信再開時において、この保存されたＴＰＣコマンドをＵＬ−ＤＰＣＣＨにおけるスロットｉ＋１２におけるアップリンク送信に適用することができる。
【００２８】
図７に示される例においては、各送信バーストにおいて直接適用されない１つのＴＰＣコマンドがその送信バーストの最後に存在する。このＴＰＣコマンドは、保存することができ、次の送信バーストの第１のスロットに適用することができる。
【００２９】
図６に示されるように、Ｆ−ＤＰＣＨにおいてスロットｉにおいて受信されたＴＰＣコマンドがスロットｉ＋１においてＵＬ−ＤＰＣＣＨに適用されるときには、余分の遅延の結果、送信バーストにおいて直接適用されない２つのＴＰＣコマンドがその送信バーストの最後に存在する可能性がある。これらのＴＰＣコマンドの両方を次の送信バーストに関して利用することが望ましい。
【００３０】
図８Ａは、後続ＴＰＣコマンドによるＤＴＸ動作中におけるＵＥに関するアップリンク電力制御の設計を示す。この例においては、ＵＥに関するＴＰＣコマンドは、Ｆ−ＤＰＣＨにおいて各スロットの最後近くにおいて送信される。図６に示されるように、ＵＥは、Ｆ−ＤＰＣＨにおいてスロットｉ＋１において受信されたＴＰＣコマンドをＵＬ−ＤＰＣＣＨにおける次のスロットｉ＋２におけるアップリンク送信に適用することができる。
【００３１】
図８Ａに示される第１の送信バーストの開始時に、ＵＬ−ＤＰＣＣＨにおいてスロットｉにおいて送信されたパイロットが、Ｆ−ＤＰＣＨにおいてスロットｉ＋１において送信されるＴＰＣコマンドを生成するために用いられる。このＴＰＣコマンドは、ＵＬ−ＤＰＣＣＨにおいてスロットｉ＋２において送られるアップリンク送信に対して適用される。Ｆ−ＤＰＣＨにおいてスロットｉ＋２乃至ｉ＋４において送信されるＴＰＣコマンドは、ＵＬ−ＤＰＣＣＨにおいてスロットｉ＋３乃至ｉ＋５において送られるアップリンク送信に対してそれぞれ同様に適用される。ＵＥは、アップリンクではスロットｉ＋６及びｉ＋７においては送信しないため、ＵＥは、Ｆ−ＤＰＣＨにおいてスロットｉ＋５及びｉ＋６において受信された２つのＴＰＣコマンドを保存することができる。
【００３２】
図８Ａに示される設計において、ＵＥは、２つの保存されたＴＰＣコマンドを送信が再開時に最初の２つのスロットにおいて連続的に適用する。特に、ＥＵは、Ｆ−ＤＰＣＨにおいてスロットｉ＋５において受信されたＴＰＣコマンドをＵＬ−ＤＰＣＣＨにおいてスロットｉ＋１２において送られるアップリンク送信に適用する。ＵＥは、Ｆ−ＤＰＣＨにおいてスロットｉ＋６において受信されたＴＰＣコマンドをＵＬ−ＤＰＣＣＨにおいてスロットｉ＋１３において送られるアップリンク送信に適用する。
【００３３】
他の設計においては、ＵＥは、Ｆ−ＤＰＣＨにおいてスロットｉ＋６において受信されたＴＰＣコマンドをＵＬ−ＤＰＣＣＨにおいてスロットｉ＋１２において送られるアップリンク送信に適用する。ＵＥは、Ｆ−ＤＰＣＨにおいてスロットｉ＋５において受信されるＴＰＣコマンドをＵＬ−ＤＰＣＣＨにおいてスロットｉ＋１３において送られるアップリンク送信に適用する。この順序は、図８Ａに示される順序の反対である。
【００３４】
さらに他の設計においては、ＵＥは、Ｆ−ＤＰＣＨにおいてスロットｉ＋５又はスロットｉ＋６において受信されたＵＰ  ＴＰＣコマンド（存在する場合）をＵＬ−ＤＰＣＣＨにおいてスロットｉ＋１２において送られるアップリンク送信に適用する。ＵＥは、ＵＬ−ＤＰＣＣＨにおいてスロットｉ＋１３において送られるアップリンク送信に対して他方のコマンドを適用する。この設計は、ＵＥが次の送信バーストにおいて早期に送信電力を増大させるのを可能にし、このことは性能を向上させることができる。
【００３５】
ＵＥは、その他の方法で、次の送信バーストの最初の２つのスロットにおいて２つの保存されたＴＰＣコマンドを適用することもできる。
【００３６】
図８Ｂは、後続ＴＰＣコマンドによるＤＴＸ動作中におけるＵＥに関するアップリンク電力制御の他の設計を示す。この例においては、図８Ａに関して上述されるように、ＵＥに関するＴＰＣコマンドは、Ｆ−ＤＰＣＨにおいて各スロットの最後近くで送信され、ＵＥは、Ｆ−ＤＰＣＨにおいてスロットｉ＋５及びｉ＋６において受信された最後の２つのＴＰＣを保存する。この設計においては、ＵＥは、次の送信バーストの最初の２つのスロットの各々において２つの保存されたＴＰＣコマンドを適用する。これは、様々な方法で達成することができる。
【００３７】
一設計においては、ＵＥは、２つの保存されたＴＰＣコマンドの値を累積して結合された値を得る。ＵＥは、通常は、ＵＰ  ＴＰＣコマンドに関しては予め決定された量Δだけ送信電力を増大させることができ及びＤＯＷＮ  ＴＰＣコマンドに関しては予め決定された量Δだけ送信電力を低減させることができる。ＵＥは、２つの保存されたＴＰＣコマンドに関する結合値Δｃｏｍｂｉｎｅｄを次のように決定することができる。
【数１】
2010518705.tif 000004
【００３８】
ＵＥは、次の送信バーストの最初の２つのスロットｉ＋１２及びｉ＋１３の各々において結合値Δｃｏｍｂｉｎｅｄだけ送信電力を調整することができる。
【００３９】
他の設計においては、ＵＥは、最初に、方程式（１）において示されるように、２つの保存されたＴＰＣコマンドの値を累積する。次に、ＵＥは、以下のように結合値を制限するか又は上限を設ける。
【数２】
2010518705.tif 000005
【００４０】
ＵＥは、次の送信バーストの最初の２つのスロットｉ＋１２及びｉ＋１３の各々において上限が設けられた値Δｃａｐｐｅｄだけ送信電力を調整することができる。
【００４１】
さらに他の設計においては、ＵＥは、他方の保存されたＴＰＣコマンドがドロップされるときに２つの保存されたＴＰＣコマンドのうちの１つを用いる。保存されたＴＰＣコマンドは、様々な判定基準に基づいて、例えば、ＴＰＣコマンドに関する受信値が検出しきい値を下回る場合に、ドロップすることができる。ＵＥは、次の送信バーストの最初の２つのスロットｉ＋１２及びｉ＋１３の各々においてドロップされない保存されたＴＰＣコマンドに基づいて送信電力を調整することができる。
【００４２】
さらに他の設計においては、ＵＥは、２つの保存されたＴＰＣコマンドのうちの１つを用いる。一方式においては、（例えば、スロットｉ＋６において受信された）最後の保存されたＴＰＣコマンドを用いることができ及び（例えば、スロットｉ＋５において受信された）それ以前の保存されたＴＰＣコマンドを捨てることができる。他の方式においては、ＵＥは、より信頼できる（例えば、より高い受信値を有する）保存されたＴＰＣコマンドを用いることができ及び他方の保存されたＴＰＣコマンドを捨てることができる。ＵＥは、その他の判定基準に基づいて１つの保存されたＴＰＣコマンドを選択することもできる。いずれの場合においても、ＵＥは、次の送信バーストの最初の２つのスロットｉ＋１２及びｉ＋１３の各々において選択されたＴＰＣコマンドに基づいて送信電力を調整することができる。
【００４３】
さらに他の設計においては、ＵＥは、例えば両方の保存されたＴＰＣコマンドが信頼できないとみなされる場合はこれらのＴＰＣコマンドを捨てることができる。ＵＥは、次の送信バーストの最初の２つのスロットｉ＋１２及びｉ＋１３の各々に関してスロットｉ＋５において用いられる送信電力レベルを適用することができる。これで、ＵＥは、送信ギャップ前と同じ電力レベルで送信を再開することができる。
【００４４】
ノードＢにおいて有効なアップリンクＳＩＲ測定値に基づいて１つ以上のＴＰＣコマンドが生成されるため、ここにおいて説明される技法は、有効であるこれらの１つ以上のＴＰＣコマンドの使用を考慮する。送信バーストにおいて容量を浪費する可能性がある最後の２つのＴＰＣコマンドを捨てる代わりに、これらの技法は、送信が再開されたときにこれらの２つのＴＰＣコマンドを効率的に利用する。
【００４５】
図９は、アップリンク電力制御に関してＵＥによって実行されるプロセス９００の設計を示す。ＵＥは、最初の送信バースト中に複数のＴＰＣコマンドを受信することができる（ブロック９１２）。ＵＥは、複数のＴＰＣコマンドのうちの少なくとも１つに基づいて第１の送信バースト中に送られる送信の送信電力を調整することができる（ブロック９１４）。ＵＥは、複数のＴＰＣコマンドのうちの少なくとも２つの最後のＴＰＣコマンドに基づいて第２の送信バースト中に送られる送信の送信電力を調整することができる（ブロック９１６）。第２の送信バーストは、ＤＴＸ期間だけ第１の送信バーストから分離することができる。ブロック９１６に関して、ＵＥは、第１の送信バースト中に受信された少なくとも２つの最後のＴＰＣコマンドに基づいて第２の送信バーストの初期部分に関する送信電力を調整することができ及び第２の送信バースト中に受信されたＴＰＣコマンドに基づいて第２の送信バーストの残りの部分に関する送信電力を調整することができる。
【００４６】
ブロック９１６の一設計においては、ＵＥは、最後の２つのＴＰＣコマンドのうちの１つ（例えば、最後から２つ目のＴＰＣコマンド又はＵＰ ＴＰＣコマンド）に基づいて第２の送信バーストの最初の２つのスロット（例えば、第１のスロット）に関して送信電力を調整することができる。ＵＥは、第１の送信バースト中に受信された最後の２つのＴＰＣコマンドのうちの他方の１つ（例えば、最後のＴＰＣコマンド）に基づいて第２の送信バーストの最初の２つのスロットのうちの他方の１つ（例えば、第２のスロット）に関して送信電力を調整することができる。
【００４７】
ブロック９１６の他の設計においては、ＵＥは、第１の送信バースト中に受信された最後の２つのＴＰＣコマンドに基づいて結合された値を得ることができ及び結合された値に基づいて第２の送信バーストの最初の２つのスロットに関して送信電力を調整することができる。さらに他の設計においては、ＵＥは、結合された値を予め決定された範囲内に制限することによって上限が設けられた値を得ることができ及び上限が設けられた値に基づいて第２の送信バーストの最初の２つのスロットに関して送信電力を調整することができる。
【００４８】
さらに他の設計においては、ＵＥは、最初の送信バースト中に受信された最後の２つのＴＰＣコマンドのうちの１つを選択することができ及び選択されたＴＰＣコマンドに基づいて第２の送信バーストの少なくとも１つのスロットに関して送信電力を調整することができる。さらに他の設計においては、ＵＥは、第１の送信バースト中に受信された最後の２つのＴＰＣコマンドのうちで最も信頼できるＴＰＣコマンドを選択することができる。さらに他の設計においては、ＵＥは、第１の送信バースト中に受信された最後のＴＰＣコマンドを選択することができ及び最後のＴＰＣコマンドに基づいて第２の送信バーストの最初の２つのスロットに関して送信電力を調整することができる。ＵＥは、その他の方法で、第１の送信バースト中に受信された少なくとも２つの最後のＴＰＣコマンドに基づいて第２の送信バーストに関して送信電力を調整することもできる。
【００４９】
ＵＥは、Ｆ−ＤＰＣＨにおいて複数のＴＰＣコマンドを受信することができ及び第１及び第２の送信バースト中にＵＬ−ＤＰＣＣＨにおいて送信を送ることができる。ＵＥは、その他のダウンリンクチャネルにおいてＴＰＣコマンドを受信することもでき及びその他のアップリンクチャネルにおいて送信を送ることもできる。ＵＥは、複数の可能な時間オフセットのうちの１つで複数のスロットにおいて複数のＴＰＣコマンドを受信することができる。ＵＥは、第１の時間オフセット範囲内において（例えば、図６のエリア６１４内において）受信された場合に最後の２つのＴＰＣコマンドに基づいて第２の送信バースト中に送信電力を調整することができ及び第２の時間オフセット範囲内において（例えば、図６のエリア６１２内において）受信された場合に最後のＴＰＣコマンドに基づいて第２の送信バースト中に送信電力を調整することができる。
【００５０】
ノードＢは、ＵＥに送られるダウンリンク送信の送信電力を調整するためのダウンリンク電力制御プロセス９００を実行することもできる。
【００５１】
図１０は、アップリンク電力制御に関してノードＢによって実行されるプロセス１０００の設計を示す。ノードＢは、第１の送信バースト中に複数のＴＰＣコマンドを送信することができる（ブロック１０１２）。ノードＢは、複数のＴＰＣコマンドのうちの少なくとも１つに基づいて調整された送信電力で第１の送信バースト中に送られた送信を受信することができる（ブロック１０１４）。ノードＢは、複数のＴＰＣコマンドのうちの少なくとも２つの最後のＴＰＣコマンドに基づいて調整された送信電力で第２の送信バースト中に送られた送信を受信することができる（ブロック１０１６）。第２の送信バーストは、ＤＴＸ期間だけ第１の送信バーストから分離することができる。ノードＢは、第１の送信バースト中に受信された送信に基づいてＳＩＲを推定することができ及び推定されたＳＩＲに基づいて複数のＴＰＣコマンドを生成することができる。
【００５２】
図１１は、図１におけるＵＥのうちの１つであることができるＵＥ１２０の設計のブロック図である。アップリンクにおいて、符号器１１１２は、アップリンクにおいてＵＥ１２０によって送信されるデータ及びシグナリングを受信することができる。符号器１１１２は、データ及びシグナリングを処理（例えば、フーマット化、符号化、及びインターリービング）することができる。変調器（Ｍｏｄ）１１１４は、符号化されたデータ及びシグナリングをさらに処理（例えば、変調、チャネル化、及びスクランブリング）して出力チップを提供する。送信機（ＴＭＴＲ）１１２２は、出力チップをコンディショニング（例えば、アナログへの変換、フィルタリング、増幅、及び周波数アップコンバージョン）してアップリンク信号を生成することができ、アップリンク信号は、アンテナ１１２４を介してノードＢ１１０に送信することができる。
【００５３】
ダウンリンクにおいて、アンテナ１１２４は、ノードＢ１１０及びその他のノードＢによって送信されたダウンリンク信号を受信することができる。受信機（ＲＣＶＲ）１１２６は、アンテナ１１２４からの受信された信号をコンディショニング（例えば、フィルタリング、増幅、周波数ダウンコンバージョン、及びデジタル化）すること及びサンプルを提供することができる。復調器（Ｄｅｍｏｄ）１１１６は、サンプルを処理（例えば、スクランブル解除、チャネル化、及び復調）すること及びシンボル推定を提供することができる。復号器１１１８は、シンボル推定をさらに処理（例えば、デインターリービング及び復号）すること及び復号されたデータ及びシグナリングを提供することができる。ダウンリンクシグナリングは、ＴＰＣコマンド、等を備えることができる。符号器１１１２、変調器１１１４、復調器１１１６、及び復号器１１１８は、モデムプロセッサ１１１０によって実装することができる。これらのユニットは、システムによって用いられる無線技術（例えば、Ｗ−ＣＤＭＡ、ＧＳＭ、等）に従って処理を行うことができる。
【００５４】
コントローラ／プロセッサ１１３０は、ＵＥ１２０における様々なユニットの動作を指示することができる。コントローラ／プロセッサ１１３０は、図９のプロセス９００及び／又はここにおいて説明される技法に関するその他のプロセスを実装することができる。メモリ１１３２は、ＵＥ１２０に関するプログラムコード及びデータを格納することができる。
【００５５】
図１１は、図１のノードＢのうちの１つであることができるノードＢ１１０のブロック図である。ノードＢ１１０内において、送信機／受信機１１３８は、ＵＥ１２０及びその他のＵＥとの無線通信をサポートすることができる。プロセッサ／コントローラ１１４０は、ＵＥとの通信のための様々な機能を果たすことができ及び図１０のプロセス１０００及び／又はここにおいて説明される技法に関するその他のプロセスを実行することができる。メモリ１１４２は、ノードＢ１１０に関するプログラムコード及びデータを格納することができる。
【００５６】
情報及び信号は様々な異なる技術及び技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はその組合せによって表すことができる。
【００５７】
ここにおける開示に関係させて説明される様々な例示的論理ブロック、モジュール、回路、及びアルゴリズム上のステップは、電子ハードウェアとして、コンピュータソフトウェアとして、又は両方の組合せとして実装できることを当業者はさらに明確に理解するであろう。ハードウェアとソフトウェアのこの互換性を明確に例示するため、上記においては、様々な例示的構成要素、ブロック、モジュール、回路、及びステップが、各々の機能の観点で一般的に説明されている。これらの機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、該実装決定は、本開示の適用範囲からの逸脱を生じさせるものであるとは解釈すべきではない。  
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、又はそのあらゆる組合せ、とともに実装又は実行することができる。汎用プロセッサはマイクロプロセッサであることができるが、代替においては、従来のどのようなプロセッサ、コントローラ、マイクロコントローラ、又はステートマシンであってもよい。プロセッサは、計算装置の組合せ、例えば、ＤＳＰと、１つのマイクロプロセッサとの組合せ、複数のマイクロプロセッサの組合せ、ＤＳＰコアと関連する1つ以上のマイクロプロセッサの組合せ、又はその他のあらゆる該コンフィギュレーションとの組合せ、として実装することもできる。
【００５８】
ここにおける開示と関係させて説明される方法又はアルゴリズムのステップは、ハードウェア内において直接具現化させること、プロセッサによって実行されるソフトウェアモジュール内において具現化させること、又はこれらの２つの組合せ内において具現化させることができる。ソフトウェアモジュールは、ＲＡＭメモリ、フラッシュメモリ、ＲＯＭメモリ、ＥＲＰＯＭメモリ、ＥＥＲＰＯＭメモリ、レジスタ、ハードディスク（ｄｉｓｋ）、取り外し可能ディスク（ｄｉｓｋ）、ＣＤ−ＲＯＭ、又は当業において知られるその他のあらゆる形態の記憶媒体に常駐することが可能である。典型的記憶媒体は、プロセッサが記憶媒体から情報を読み出すことができるような及び記憶媒体に情報を書き込むことができるような形でプロセッサに結合される。代替においては、記憶媒体は、プロセッサと一体化することができる。プロセッサ及び記憶媒体は、ＡＳＩＣ内に常駐することができる。ＡＳＩＣは、ユーザー端末内に常駐することができる。代替においては、プロセッサ及び記憶媒体は、ユーザー端末において個別構成要素として常駐することができる。
【００５９】
１つ以上の典型的設計においては、説明される機能は、ハードウェア、ソフトウェア、ファームウェア、又はそのいずれかの組み合わせにおいて実装することができる。ソフトウェアにおいて実装される場合は、これらの機能は、コンピュータによって読み取り可能な媒体において１つ以上の命令又は符号として格納又は送信することができる。コンピュータによって読み取り可能な媒体は、１つの場所から他の場所へのコンピュータプログラムの転送を容易にする媒体を含むコンピュータ記憶媒体及び通信媒体の両方を含む。記憶媒体は、汎用コンピュータ又は専用コンピュータによってアクセスすることができるあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク（ｄｉｓｋ）記憶装置、磁気ディスク（ｄｉｓｋ）記憶装置又はその他の磁気記憶デバイス、又は希望されるプログラムコード手段を命令又はデータ構造の形態で搬送又は格納するために用いることができ及び汎用プロセッサ又は専用プロセッサによってアクセスすることができるその他の媒体、又は汎用プロセッサ又は専用コンピュータを備えることができる。さらに、あらゆる接続がコンピュータによって読み取り可能な媒体と呼ばれることが適切である。例えば、ソフトウェアが、同軸ケーブル、光ファイバケーブル、より対線、デジタル加入者ライン（ＤＳＬ）、又は無線技術、例えば赤外線、無線、及びマイクロ波、を用いてウェブサイト、サーバー、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるディスク（ｄｉｓｋ）及びディスク（ｄｉｓｃ）は、コンパクトディスク（ｄｉｓｃ）（ＣＤ）と、レーザーディスク（登録商標）（ｄｉｓｃ）と、光学ディスク（ｄｉｓｃ）と、デジタルバーサタイルディスク（ｄｉｓｃ）（ＤＶＤ）と、フロッピー（登録商標）ディスク（ｄｉｓｋ）と、ブルーレイディスク（ｄｉｓｃ）と、を含み、ここで、ｄｉｓｋは、通常はデータを磁気的に複製し、ｄｉｓｃは、レーザーによって光学的にデータを複製する。上記の組み合わせも、コンピュータによって読み取り可能な媒体の適用範囲内に含めるべきである。
【００６０】
開示の上記説明は、当業者が開示を製造又は使用できるようにすることを目的とするものである。開示に対する様々な修正は、当業者にとって容易に明確になるであろう。ここにおいて定められる一般原理は、開示の適用範囲を逸脱しない形でその他の変形に対しても適用することができる。以上のように、開示は、ここにおいて説明される例及び設計に限定されることが意図されるものではなく、ここにおいて開示される原理及び斬新な特徴に一致する限りにおいて最も広範な適用範囲が認められるべきである。
【図１】
2010518705.tif 000006
【図２】
2010518705.tif 000007
【図３】
2010518705.tif 000008
【図４】
2010518705.tif 000009
【図５】
2010518705.tif 000010
【図６】
2010518705.tif 000011
【図７】
2010518705.tif 000012
【図８Ａ】
2010518705.tif 000013
【図８Ｂ】
2010518705.tif 000014
【図９】
2010518705.tif 000015
【図１０】
2010518705.tif 000016
【図１１】
2010518705.tif 000017
【国際調査報告】
2010518705.tif 000018
2010518705.tif 000019